(57)【特許請求の範囲】
【請求項１】
複数のカメラと、複数のモニタと、前記複数のカメラにより得られた映像を前記複数のモニタのいずれに表示するか切り換える切換装置と、この切換装置に対して切換制御を行う映像選択制御装置とを具備するカメラ監視システムにおいて、
前記映像選択制御装置は、
前記複数のカメラを表す複数のカメラサムネイル画像と前記複数のモニタを表す複数のモニタサムネイル画像とを表示するための画面を備える表示手段と、
初期状態において前記表示手段の一画面に、各カメラが設置される複数の場所情報に対応付けて複数のカメラサムネイル画像とカメラの識別情報を表示すると共に、前記複数のモニタを表す複数のモニタサムネイル画像を表示する表示処理手段と、
前記表示手段の画面において、前記複数のカメラサムネイル画像のいずれかを前記複数のモニタサムネイルのいずれかと対応付ける操作を行うための入力手段と、
前記入力手段によって前記複数のカメラサムネイル画像のいずれかを前記複数のモニタサムネイルのいずれかと対応付ける操作がなされた場合に、該当カメラサムネイル画像により示されるカメラにより得られた映像が該当モニタサムネイルにより示されるモニタに表示されるよう前記切換装置を制御する制御手段と
を具備し、
前記表示処理手段は、前記入力手段により前記複数のカメラサムネイル画像のいずれかを前記複数のモニタサムネイルのいずれかと対応付ける操作が行われた場合には、前記表示手段の一画面において、対応付け操作されたモニタサムネイルに対して、対応付けられたカメラの識別情報及び場所情報を表示することを特徴とするカメラ監視システム。
【請求項２】
前記入力手段はマウスであり、前記複数のカメラサムネイル画像のいずれかを前記複数のモニタサムネイルのいずれかと対応付ける操作は、ドラッグアンドドロップであることを特徴とする請求項１に記載のカメラ監視システム。
【請求項３】
複数のカメラと、複数のモニタと、前記複数のカメラにより得られた映像を前記複数のモニタのいずれに表示するか切り換える切換装置と具備するカメラ監視システムに備えられ、前記切換装置に対して切換制御を行う映像選択制御装置において、
前記複数のカメラを表す複数のカメラサムネイル画像と前記複数のモニタを表す複数のモニタサムネイル画像とを表示するための画面を備える表示手段と、
初期状態において前記表示手段の一画面に、各カメラが設置される複数の場所情報に対応付けて複数のカメラサムネイル画像とカメラの識別情報を表示すると共に、前記複数のモニタを表す複数のモニタサムネイル画像を表示する表示処理手段と、
前記表示された画面において、前記複数のカメラサムネイル画像のいずれかを前記複数のモニタサムネイルのいずれかと対応付ける操作を行うための入力手段と、
前記入力手段によって前記複数のカメラサムネイル画像のいずれかを前記複数のモニタサムネイルのいずれかと対応付ける操作がなされた場合に、該当カメラサムネイル画像により示されるカメラにより得られた映像が該当モニタサムネイルにより示されるモニタに表示されるよう前記切換装置を制御する制御手段と
を具備し、
前記表示処理手段は、前記入力手段により前記複数のカメラサムネイル画像のいずれかを前記複数のモニタサムネイルのいずれかと対応付ける操作が行われた場合には、前記表示手段の一画面において、対応付け操作されたモニタサムネイルに対して、対応付けられたカメラの識別情報及び場所情報を表示することを特徴とする映像選択制御装置。
【請求項４】
複数のカメラと、
複数のモニタと、
前記複数のカメラにより得られた映像を前記複数のモニタのいずれに表示するか切り換える切換装置と、
前記複数のカメラを表す複数のカメラサムネイル画像と前記複数のモニタを表す複数のモニタサムネイル画像とを表示するための画面を備える表示手段と前記表示手段の画面において前記複数のカメラサムネイル画像のいずれかを前記複数のモニタサムネイルのいずれかと対応付ける操作を行うための入力手段と前記表示手段の画面における表示処理を行う表示処理手段を備え、前記入力手段によって前記複数のカメラサムネイル画像のいずれかを前記複数のモニタサムネイルのいずれかと対応付ける操作がなされた場合に、前記切換装置に対して切換制御を行う制御手段とを備える映像選択制御装置とを具備するカメラ監視システムにおける映像選択制御方法であって、
初期状態において前記表示手段の一画面に、各カメラが設置される複数の場所情報に対応付けて複数のカメラサムネイル画像とカメラの識別情報を表示すると共に、前記複数のモニタを表す複数のモニタサムネイル画像を表示する第１の表示処理ステップと、
前記表示された画面において、前記複数のカメラサムネイル画像のいずれかを前記複数のモニタサムネイルのいずれかと対応付ける操作を受け付ける入力ステップと、
前記入力ステップにより前記複数のカメラサムネイル画像のいずれかを前記複数のモニタサムネイルのいずれかと対応付ける操作が行われた場合には、前記表示手段の一画面において、対応付け操作されたモニタサムネイルに対して、対応付けられたカメラの識別情報及び場所情報を表示する第２の表示処理ステップと、
前記入力ステップによって前記複数のカメラサムネイル画像のいずれかを前記複数のモニタサムネイルのいずれかと対応付ける操作がなされた場合に、該当カメラサムネイル画像により示されるカメラにより得られた映像が該当モニタサムネイルにより示されるモニタに表示されるよう前記切換装置を制御する制御ステップと
を具備することを特徴とする映像選択制御方法。
【発明の詳細な説明】
【０００１】
【発明の属する技術分野】
この発明は複数のカメラにより得た映像を複数のモニタに対応させて出力するカメラ監視システム、このカメラ監視システムに用いられる映像選択制御装置及び映像選択制御方法に関するものである。
【０００２】
【従来の技術】
従来、複数箇所の監視を行うシステムとしては、例えば特開平９−２７１０２１号公報に記載のシステムが知られている。このシステムの特徴は複数の映像表示領域に所望のカメラにより得られた映像を写し出すときに、ドラッグアンドドロップを用いることができることである。
【０００３】
一方、カメラとモニタがそれぞれ複数であり、それぞれのモニタにどのカメラにより得られた映像を写し出すのかを制御する場合には、モニタ毎に設けられたチャンネルスイッチを用いてモニタ毎に設定を行う等の手法がある。
【０００４】
【発明が解決しようとする課題】
しかしながら上記のような手法では、モニタに対し写し出されている映像がどのカメラによる映像であるのか一見しただけでは分らないという問題が生じていた。
【０００５】
本発明は上記のような従来のカメラ監視システムが有する問題点を解決せんとしてなされたもので、その目的はモニタに対し写し出される映像をどのカメラにより得られた映像とするか一目瞭然に知ることができ、操作性の良いカメラ監視システムを提供することである。また他の目的はモニタに対し写し出されている映像がどのカメラによる映像であるのか一目瞭然に知ることのできるカメラ監視システムを提供することである。更に、他の目的は上記のカメラ監視システムに用いられる映像選択制御装置及び映像選択制御方法を提供することである。
【０００６】
【課題を解決するための手段】
本発明に係るカメラ監視システムは、複数のカメラと、複数のモニタと、前記複数のカメラにより得られた映像を前記複数のモニタのいずれに表示するか切り換える切換装置と、この切換装置に対して切換制御を行う映像選択制御装置とを具備するカメラ監視システムにおいて、前記映像選択制御装置は、前記複数のカメラを表す複数のカメラサムネイル画像と前記複数のモニタを表す複数のモニタサムネイル画像とを表示するための画面を備える表示手段と、初期状態において前記表示手段の一画面に、各カメラが設置される複数の場所情報に対応付けて複数のカメラサムネイル画像とカメラの識別情報を表示すると共に、前記複数のモニタを表す複数のモニタサムネイル画像を表示する表示処理手段と、前記表示手段の画面において、前記複数のカメラサムネイル画像のいずれかを前記複数のモニタサムネイルのいずれかと対応付ける操作を行うための入力手段と、前記入力手段によって前記複数のカメラサムネイル画像のいずれかを前記複数のモニタサムネイルのいずれかと対応付ける操作がなされた場合に、該当カメラサムネイル画像により示されるカメラにより得られた映像が該当モニタサムネイルにより示されるモニタに表示されるよう前記切換装置を制御する制御手段とを具備し、前記表示処理手段は、前記入力手段により前記複数のカメラサムネイル画像のいずれかを前記複数のモニタサムネイルのいずれかと対応付ける操作が行われた場合には、前記表示手段の一画面において、対応付け操作されたモニタサムネイルに対して、対応付けられたカメラの識別情報及び場所情報を表示することを特徴とする。
【０００７】
また本発明の請求項２に記載のカメラ監視システムでは、前記入力手段はマウスであり、前記複数のカメラサムネイル画像のいずれかを前記複数のモニタサムネイルのいずれかと対応付ける操作は、ドラッグアンドドロップであることを特徴とする。
【０００９】
本発明に係る映像選択制御装置は、複数のカメラと、複数のモニタと、前記複数のカメラにより得られた映像を前記複数のモニタのいずれに表示するか切り換える切換装置と具備するカメラ監視システムに備えられ、前記切換装置に対して切換制御を行う映像選択制御装置において、前記複数のカメラを表す複数のカメラサムネイル画像と前記複数のモニタを表す複数のモニタサムネイル画像とを表示するための画面を備える表示手段と、初期状態において前記表示手段の一画面に、各カメラが設置される複数の場所情報に対応付けて複数のカメラサムネイル画像とカメラの識別情報を表示すると共に、前記複数のモニタを表す複数のモニタサムネイル画像を表示する表示処理手段と、前記表示された画面において、前記複数のカメラサムネイル画像のいずれかを前記複数のモニタサムネイルのいずれかと対応付ける操作を行うための入力手段と、前記入力手段によって前記複数のカメラサムネイル画像のいずれかを前記複数のモニタサムネイルのいずれかと対応付ける操作がなされた場合に、該当カメラサムネイル画像により示されるカメラにより得られた映像が該当モニタサムネイルにより示されるモニタに表示されるよう前記切換装置を制御する制御手段とを具備し、前記表示処理手段は、前記入力手段により前記複数のカメラサムネイル画像のいずれかを前記複数のモニタサムネイルのいずれかと対応付ける操作が行われた場合には、前記表示手段の一画面において、対応付け操作されたモニタサムネイルに対して、対応付けられたカメラの識別情報及び場所情報を表示することを特徴とする。
【００１０】
本発明に係る映像選択制御方法は、複数のカメラと、複数のモニタと、前記複数のカメラにより得られた映像を前記複数のモニタのいずれに表示するか切り換える切換装置と、前記複数のカメラを表す複数のカメラサムネイル画像と前記複数のモニタを表す複数のモニタサムネイル画像とを表示するための画面を備える表示手段と前記表示手段の画面において前記複数のカメラサムネイル画像のいずれかを前記複数のモニタサムネイルのいずれかと対応付ける操作を行うための入力手段と前記表示手段の画面における表示処理を行う表示処理手段を備え、前記入力手段によって前記複数のカメラサムネイル画像のいずれかを前記複数のモニタサムネイルのいずれかと対応付ける操作がなされた場合に、前記切換装置に対して切換制御を行う制御手段とを備える映像選択制御装置とを具備するカメラ監視システムにおける映像選択制御方法であって、初期状態において前記表示手段の一画面に、各カメラが設置される複数の場所情報に対応付けて複数のカメラサムネイル画像とカメラの識別情報を表示すると共に、前記複数のモニタを表す複数のモニタサムネイル画像を表示する第１の表示処理ステップと、
前記表示された画面において、前記複数のカメラサムネイル画像のいずれかを前記複数のモニタサムネイルのいずれかと対応付ける操作を受け付ける入力ステップと、前記入力ステップにより前記複数のカメラサムネイル画像のいずれかを前記複数のモニタサムネイルのいずれかと対応付ける操作が行われた場合には、前記表示手段の一画面において、対応付け操作されたモニタサムネイルに対して、対応付けられたカメラの識別情報及び場所情報を表示する第２の表示処理ステップと、前記入力ステップによって前記複数のカメラサムネイル画像のいずれかを前記複数のモニタサムネイルのいずれかと対応付ける操作がなされた場合に、該当カメラサムネイル画像により示されるカメラにより得られた映像が該当モニタサムネイルにより示されるモニタに表示されるよう前記切換装置を制御する制御ステップとを具備することを特徴とする。
【００１１】
【発明の実施の形態】
以下添付図面を参照して、本発明に係るカメラ監視システム、映像選択制御装置及び映像選択制御方法の実施の形態を説明する。各図において同一の構成要素には、同一の符号を付し重複する説明を省略する。図１には本発明の第１の実施の形態に係るカメラ監視システムの構成図が示されている。カメラ１−１〜１−ｎは、例えば河川監視用に適宜な場所に設置されており、カメラ１−１〜１−ｎにより得られた映像信号はビデオスイッチャ２へ導かれている。
【００１２】
ビデオスイッチャ２は映像選択制御装置３による制御を受けてカメラ１−１〜１−ｎにより得られた映像信号を選択して監視所１０に設けられた６台（台数は例示に過ぎない）のモニタ１１〜１６へ送出する。
【００１３】
映像選択制御装置３は、ワークステーションやパーソナルコンピュータ等のコンピュータシステムにより構成されており、ＣＰＵ３１と主メモリ３２から構成される制御部３０と、これにバス３３を介して接続される入力部３４、表示部３５、記憶部３６及びインタフェース３７を具備している。
【００１４】
入力部３４はキーボードやマウス等により構成され、必要な各種情報の入力が可能となっている。表示部３５はＣＲＴやＬＣＤ等の表示器とそのコントローラにより構成されており、各種の表示が可能となっている。記憶部３６は磁気ディスク装置や光磁気ディスク装置等から構成されており、必要なプログラムやデータが格納されている。インタフェース３７は制御部３０がビデオスイッチャ２に対して制御情報を送信するためのものである。
【００１５】
ＣＰＵ３１には、表示処理手段３８と制御手段３９が備えられている。表示処理手段３８は、複数のカメラを表す複数のカメラサムネイル画像と複数のモニタを表す複数のモニタサムネイル画像とを例えば、図３に示すように表示する。また、表示処理手段３８は、モニタサムネイルに対して、対応付けられたカメラの識別情報を表示する。
【００１６】
制御手段３９は、入力手段である入力部３４によって複数のカメラサムネイル画像のいずれかを複数のモニタサムネイルのいずれかと対応付ける操作がなされた場合に、該当カメラサムネイル画像により示されるカメラにより得られた映像が該当モニタサムネイルにより示されるモニタに表示されるように切換装置であるビデオスイッチャ２を制御する。
【００１７】
ＣＰＵ３１は主メモリ３２内のプログラムにより図２のフローチャートに示すように動作することにより図１の各手段として機能するので、次に図２のフローチャートに基づき動作を説明する。まず、映像選択制御装置３における電源投入等により図２のフローチャートのプログラムがスタートとなり、カメラおよびモニタのサムネイル画像を図３に示すように表示する（Ｓ１）。
【００１８】
つまり、図１のシステムにおけるモニタ１１〜１６に対応するモニタサムネイルＭＳ１１〜ＭＳ１６が最上段に表示され、「モニタ１１」〜「モニタ１６」という識別情報が付記表示されている。
【００１９】
また、この実施の形態では４水系に対してカメラが設置されており、例えば、２段目に表示されている「○○水系」では、カメラサムネイルＣＳ２１〜ＣＳ２７により示される如く、７台のカメラが設置されており、各カメラサムネイルＣＳ２１〜ＣＳ２７に「カメラ１」〜「カメラ７」という識別情報が付記表示されている。
【００２０】
そして、表示処理手段３８及び制御手段３９は、カメラサムネイルとモニタサムネイルの対応付け操作がなされたかを検出している（Ｓ２）。ここでは、図３に示すように表示部３５に表示された映像においては、マウスを使用して所望のカメラサムネイルをクリックし更に所望のモニタサムネイルへＤ＆Ｄ（ドラッグアンドドロップ）の操作を行うことにより対応付けることができる。
【００２１】
そこで、例えば「○○水系」の表示エリアにおいて、カメラサムネイルＣＳ２２（「○○水系」のカメラ２）が図３の矢印に示すようにモニタサムネイルＭＳ１３へＤ＆Ｄの操作により対応付けられたとする。すると、表示処理手段３８が、このモニタサムネイルＭＳ１３に対応付けられた「○○水系」のカメラ２の識別情報である「○○水系カメラ２」をモニタサムネイルＭＳ１３の中に表示する（Ｓ３）。これにより、モニタ１３に「○○水系カメラ２」により得られた映像が配信されていることが一目瞭然に把握できるようになる。
【００２２】
次に、制御手段３９は、ビデオスイッチャ２を制御してカメラ１−１〜１−ｎの内の「○○水系カメラ２」に該当するカメラによって得られた映像がモニタ１３に写し出されるように切換制御を行う（Ｓ４）。
【００２３】
以上のように処理がなされる結果、オペレータはどのモニタにどのカメラの映像を写し出すのかについて明確に意識しながら表示部３５における操作を行うことができ効率のよい監視業務が遂行可能となる。
【００２４】
次に第２の実施の形態を説明する。この第２の実施の形態では、図４に示されるようにネットワーク５に対して映像配信サーバ４と映像選択制御装置３Ａとクライアント４１〜４６が接続されている。
【００２５】
映像配信サーバ４は、カメラ１−１〜１−ｎから映像信号を受け取りディジタル化して、映像選択制御装置３Ａの制御に基づき所要の映像情報をクライアント４１〜４６へ配信する。クライアント４１〜４６にはモニタ１１〜１６が備えられており、配信された映像情報に基づき映像が表示される。なお、クライアント４１〜４６は同じ場所に設置されていなくても良い。
【００２６】
映像選択制御装置３Ａもサーバとなっており、ネットワーク５を介して通信可能なインタフェース３７Ａを介して映像配信サーバ４へ制御情報を送る。
【００２７】
以上のように構成された第２の実施の形態においても、ＣＰＵ３１は主メモリ３２内のプログラムにより図２のフローチャートに示すように動作することにより図４の各手段として機能する。
【００２８】
まず、映像選択制御装置３Ａにおける電源投入等により図２のフローチャートのプログラムがスタートとなり、カメラおよびモニタのサムネイル画像を図３に示すように表示する（Ｓ１）。また表示処理手段３８及び制御手段３９は、カメラサムネイルとモニタサムネイルの対応付け操作がなされたかを検出している（Ｓ２）。
【００２９】
そこで、例えば「○○水系」では、カメラサムネイルＣＳ２２（「○○水系」のカメラ２）が図３の矢印に示すようにモニタサムネイルＭＳ１３へＤ＆Ｄの操作により対応付けられたとする。すると、表示処理手段３８が、この対応付けられた「○○水系」のカメラ２の識別情報である「○○水系カメラ２」をモニタサムネイルＭＳ１３の中に図３に示されているように表示する（Ｓ３）。これにより、モニタ１３に「○○水系カメラ２」により得られた映像が配信されていることが一目瞭然に把握できるようになる。
【００３０】
更に、制御手段３９は、ビデオスイッチャ２を制御してカメラ１−１〜１−ｎの内の「○○水系カメラ２」に該当するカメラによって得られた映像がモニタ１３に写し出されるように切換制御を行う（Ｓ４）。
【００３１】
このように、ネットワーク５により各部分が接続された第２の実施の形態に係るカメラ監視システムにおいても、第１の実施の形態と同様に、オペレータはどのモニタにどのカメラの映像を写し出すのかを明確に意識しながら操作を行うことができ効率のよい監視業務を遂行可能となる。
【００３２】
【発明の効果】
以上説明したように本発明によれば、表示された画面において、複数のカメラサムネイル画像のいずれかを複数のモニタサムネイルのいずれかと対応付ける操作を受け付ける入力を行うだけで、該当カメラサムネイル画像により示されるカメラにより得られた映像が該当モニタサムネイルにより示されるモニタに表示されるように制御がなされ、モニタに対し写し出される映像をどのカメラによる映像とするか一目瞭然に知ることができ操作性の向上を図ることができる。
【図面の簡単な説明】
【図１】本発明の第１の実施の形態に係るカメラ監視システムの構成図。
【図２】本発明の実施の形態に係るカメラ監視システムの動作を説明するためのフローチャート。
【図３】本発明の実施の形態に係るカメラ監視システムにおいて表示される映像選択のための画面の一例を示す図。
【図４】本発明の第２の実施の形態に係るカメラ監視システムの構成図。
【符号の説明】
１−１〜１−ｎ  カメラ
２  ビデオスイッチャ
３、３Ａ  映像選択制御装置
４  映像配信サーバ
５  ネットワーク
１０  監視所
１１〜１６  モニタ
３０  制御部
３１  ＣＰＵ
３２  主メモリ
３３  バス
３４  入力部
３５  表示部
３６  記憶部
３７、３７Ａ  インタフェース
３８  表示処理手段
３９  制御手段
４１〜４６  クライアント
【図１】
0004101476.tif 000002
【図２】
0004101476.tif 000003
【図３】
0004101476.tif 000004
【図４】
0004101476.tif 000005